(57)【要約】【課題】  従来の防水コンセントは、屈んで覗き込みながらプラグを挿入する必要があった。【解決手段】  プラグの栓刃が挿入される栓刃挿入部が一面に並列して複数設けられたコンセント本体と、コンセント本体の前記一面を下方に向けた状態でコンセント本体を支持する壁面取付用のボディと、を備えた防水コンセントであって、前記ボディの前面側であって、前記コンセント本体の栓刃挿入部に対して鉛直方向に合致した位置を示す表示部が、前記複数組の栓刃挿入部のそれぞれに対応して複数設けられている防水コンセント。【選択図】図１
2015079611.tif 000002
【特許請求の範囲】
【請求項１】
プラグの栓刃が挿入される栓刃挿入部が一面に並列して複数設けられたコンセント本体と、コンセント本体の前記一面を下方に向けた状態でコンセント本体を支持する壁面取付用のボディと、を備え、
前記ボディの前面側であって、前記コンセント本体の栓刃挿入部に対して鉛直方向に合致した位置を示す表示部が、前記複数組の栓刃挿入部のそれぞれに対応して複数設けられている防水コンセント。
【請求項２】
前記ボディは、前記ボディの前面側であって斜め下方に前記一面よりも突出するように延出する庇部を有し、前記表示部は、前記庇部に設けられている請求項１に記載の防水コンセント。
【請求項３】
前記庇部は少なくとも一部が透明であり、前記表示部は、前記透明の箇所に設けられている、もしくは、透明の箇所と不透明の箇所とによって前記位置を示している請求項２に記載の防水コンセント。
【請求項４】
前記表示部は、複数の栓刃の並び向きを示している請求項１乃至請求項３のいずれかに記載の防水コンセント。
【発明の詳細な説明】
【技術分野】
【０００１】
本発明は、複数の栓刃を有する電源プラグが接続される防水コンセントに関するものである。
【背景技術】
【０００２】
例えば、特許文献１には、防雨カバーの端縁にひさしが設けられた、家屋の外壁面などに設置される防水コンセントが開示されている。前記ひさしには、栓刃挿入穴を透視できプラグを挿入し易くする透明部材が設けられている。
【０００３】
しかし、防水コンセントは家屋の外壁面における比較的低い位置に取付けられることが一般的であり、特許文献１のようにひさしに透明部材を設けたとしても、防雨カバーの端縁が邪魔をして、栓刃挿入穴を視認するために屈んで覗き込む必要があった。この挿入作業のやりにくさは、たとえひさし全体を透明部材としても、防雨カバーの端縁を越えて下方から覗き込む必要がある。
【０００４】
一方、特許文献２のように、ボディの表面に自身の栓刃挿入穴の形状や注意事項を表示した防水コンセントが存在する。この表示は、防水コンセントに２組のプラグを接続できる点や栓刃挿入穴と接地用栓刃挿入穴との位置関係（右側に接地用栓刃挿入穴がある旨の記載）を示しており、特にプラグ挿入時における接地用栓刃の向きが予めわかる点において工夫されている。
【先行技術文献】
【特許文献】
【０００５】
【特許文献１】特開平１−２８１６８７号公報
【特許文献２】特開２００８−９８０６７号公報
【発明の概要】
【発明が解決しようとする課題】
【０００６】
ところで、特許文献２の防水コンセントにおいて、図１３に示すように、この２組の栓刃挿入穴及び接地用栓刃挿入穴からなる表示Ｄは、ボディに対して左右方向に均等に配置されている。一方、コンセントの実際の挿入穴Ｃの位置は、ボディに対して片寄って配置されている（本文献においては左側に片寄って配置されている）。そのため、実際の挿入穴とはずれた位置に表示されており、接地用栓刃の向きのみがわかっても、左右方向のどの位置に挿入穴があるかまでは表示されておらず、覗き込んで確認しながら挿入する必要があった。
【０００７】
本発明は、上記従来の問題に鑑みてなされたものであって、その目的は、斜め下方に向けて開口している栓刃挿入穴を実際に視認できる位置まで屈むことなく簡単に防水コンセントにプラグを接続できることを課題にしている。
【課題を解決するための手段】
【０００８】
上記課題を解決するために、請求項１に記載の発明は、プラグの栓刃が挿入される栓刃挿入部が一面に並列して複数設けられたコンセント本体と、コンセント本体の前記一面を下方に向けた状態でコンセント本体を支持する壁面取付用のボディと、を備えた防水コンセントであって、前記ボディの前面側であって、前記コンセント本体の栓刃挿入部に対して鉛直方向に合致した位置を示す表示部が、前記複数組の栓刃挿入部のそれぞれに対応して複数設けられていることを要旨とする。
【０００９】
請求項２に記載の発明は、請求項１に記載の防水コンセントにおいて、前記ボディは、前記ボディの前面側であって斜め下方に前記一面よりも突出するように延出する庇部を有し、前記表示部は、前記庇部に設けられていることを要旨としている。
【００１０】
請求項３に記載の発明は、請求項２に記載の防水コンセントにおいて、前記庇部は少なくとも一部が透明であり、前記表示部は、前記透明の箇所に設けられている、もしくは、透明の箇所と不透明の箇所とによって前記位置を示していることを要旨としている。
【００１１】
請求項４に記載の発明は、請求項１乃至請求項３のいずれかに記載の防水コンセントにおいて、前記表示部は、複数の栓刃の並び向きを示していることを要旨としている。
【発明の効果】
【００１２】
斜め下方に向けて開口している栓刃挿入部を直接視認できる位置まで屈むことなくプラグの栓刃を防水コンセントに挿入できる。
【図面の簡単な説明】
【００１３】
【図１】（ａ）は、実施例１の防水コンセントＡ１の正面図、（ｂ）は、実施例１の防水コンセントＡ１の底面図、（ｃ）は実施例１の防水コンセントＡ１の側面図である。
【図２】実施例１の防水コンセントＡ１の表示部と栓刃挿入部との関係を示す図である。
【図３】実施例１の防水コンセントＡ１の視認性を説明する図である。
【図４】実施例２の防水コンセントＡ２の表示部と栓刃挿入部との関係を示す図である。
【図５】実施例２の防水コンセントＡ２の視認性を説明する図である。
【図６】別例の防水コンセントＡ３の表示部と栓刃挿入部との関係を示す図である。
【図７】別例の防水コンセントＡ４の表示部と栓刃挿入部との関係を示す図である。
【図８】別例の防水コンセントＡ５の表示部と栓刃挿入部との関係を示す図である。
【図９】図８に示した別例の防水コンセントＡ５の視認性を説明する図である。
【図１０】別例の防水コンセントＡ６の表示部と栓刃挿入部との関係を示す図である。
【図１１】別例の防水コンセントＡ７の表示部と栓刃挿入部との関係を示す図である。
【図１２】別例の防水コンセントＡ８の表示部と栓刃挿入部との関係を示す図である。
【図１３】背景技術の防水コンセントの表示部と栓刃挿入部との関係を示す図である。
【発明を実施するための形態】
【００１４】
以下、複数の実施例を挙げて、本発明を更に詳細に説明する。
【実施例１】
【００１５】
実施例１の防水コンセントＡ１は、図１および図２に示されるように、２つの栓刃と１つの接地用栓刃を備えた電源プラグに対応して２つの栓刃用挿入口６１および１つの接地用栓刃挿入口６２を１組とした栓刃挿入部６が一面に２組設けられたコンセント本体７と、前記コンセント本体の前記一面を斜め下方に向けた状態で内部に収容支持するとともに、建物壁等の構造物の壁面に前記コンセント本体を取り付けるボディ１とを備えている。
【００１６】
前記ボディ１は、前記コンセント本体７の２組の栓刃挿入部の並び方向が鉛直方向（壁面の立設方向）と略直交する向き（壁面に沿った向き）に配置するとともに、栓刃の挿入方向が壁から離れた側から壁に向かって、かつ、鉛直方向上方となるように、前記栓刃挿入部６が設けられた一面が斜め下方に向いた状態で支持するとともに、前記コンセント本体７の前記一面を開口から露出させている。また、建物壁等の構造物の壁面に固定される固定部１１が上下に一対設けられ、前記ボディ１の開口よりも下方には、アースねじ１２が設けてある。符号４は防水コンセントＡ１を固定対象に固定する際にボディとの間に介在させるパッキンである。
【００１７】
さらに、前記ボディ１には、前記開口の端縁を延長するように別体の庇２が組み付けられている。換言すると前記ボディ１は前記開口の端縁を延長するような庇を有する。そして、前記庇２は前記ボディ１に組み付けられた状態で、前記栓刃の挿入方向に沿った斜め下方に向けて前記コンセント本体７の一面よりも突出する前面壁２１と、左右方向の端縁が壁面に向けて延びる側面壁２２と、から構成されて、接続したプラグへ雨水が降りかかるのを防止している。この庇２は透明材料により成形されており、透視可能である。
【００１８】
そして、前記ボディ１の前面側には、前記コンセント本体７の栓刃挿入部６に対して鉛直方向に合致する位置を示す表示部Ｄ１が設けられ、該表示部Ｄ１は、栓刃用挿入口６１を示す２つの栓刃位置表示部Ｄ１１と、接地用栓刃挿入口６２を示す１つの接地用栓刃位置表示部Ｄ１２とを一組として、前記２組の栓刃挿入部６にそれぞれ対応して２組設けられている。
【００１９】
前記表示部Ｄ１１は、前記コンセント本体７が有する２つの栓刃用挿入口６１および１つの接地用栓刃挿入口６２に対応して、略同一寸法の形状および各栓刃挿入口の位置関係と同一位置関係のまま、ボディ１に刻印されている。
【００２０】
また、前記表示部Ｄ１１は、前記コンセント本体７の２組の栓刃挿入部６の並び方向に対してそれぞれずれることなく、鉛直方向に合致した位置となっている。そのため、本実施例におけるコンセント本体７の２組の栓刃挿入部６が、並び方向においてボディ１に対して均等に配置されていない（ボディ１の左右方向の中心に対して左側に片寄っている）ことに対応して、前記表示部Ｄ１１も、ボディ１の左右方向の中心（２組の栓刃挿入部６の並び方向におけるボディ１の中心）に対してはずれた位置（（ボディ１の左右方向の中心に対して左側に片寄った位置）に配置されている。
【００２１】
このような構成であれば、図３に示すように、プラグＰを防水コンセントＡ１に接続する際に、前記表示部Ｄ１の位置とプラグＰの栓刃Ｐ１の位置を合致させた状態で斜め上方にプラグＰを移動させることで、各栓刃挿入口（６１、６２）にスムーズに栓刃Ｐ１を挿入することができる。すなわち、プラグＰをコンセント本体７に接続するには、プラグＰが有する複数の栓刃Ｐ１の配置向き、ボディ１に対する左右方向の位置（図２に示す矢印Ｘ方向の位置）、および、前後方向（図３に示す矢印Ｙ方向）のいずれをも合致させて初めて栓刃を挿入することができるが、本実施例における防水コンセントＡ１は、前記表示部Ｄ１がコンセント本体７の各栓刃挿入口の配置（プラグが有する複数の栓刃の配置向き）を示すとともに、コンセント本体７の各栓刃挿入口のボディ１に対する左右方向の位置を示すため、プラグＰの各栓刃Ｐ１の向きを合わせた状態で、前記表示部Ｄ１が示す箇所（刻印された箇所）と各栓刃Ｐ１の左右方向の位置（図３における矢印Ｙ方向の位置）を合致させれば、あとは斜め上方にプラグＰを移動させることで容易に栓刃Ｐ１を挿入することができ、屈んで覗き込みながら栓刃挿入口の位置を目視して接続する必要がなくなる。例え前後方向にずれていても（壁面に対する近接離間方向であって、図３における矢印Ｙ方向の位置がずれていても）、プラグの栓刃先端をコンセント本体に宛がった状態で前後方向（図３における矢印Ｙ方向）にずらしていけば良く、複数の栓刃の配置や左右方向の位置（図２に示す矢印Ｘ方向の位置）を考慮することなく一方向のみ（図３における矢印Ｙ方向）の調整だけとなって、接続作業をスムーズに行える。また、庇２は透明であるため、プラグPの栓刃Ｐ１をコンセント本体７の直近にまで移動させても、庇２を通して表示部Ｄ１とプラグＰの位置を合致していることを確認（符号Ｍ）できるため、斜め下方から目視（符号Ｎ）しながらの作業に比べてあまり屈まずに挿入作業が行える。
【実施例２】
【００２２】
次に、図４を参照して、本発明の実施例２の防水コンセントＡ２について、前記防水コンセントＡ１と異なる部分ついてのみ説明する。同一の構成については同一の符号を付して説明を省略する。実施例１では、ボディ１の前面側に表示部Ｄ１が付されていたのに対して、実施例２では、ボディ１に組み付けられた別体の庇２に表示部Ｄ２が付されている点、および、表示手段が異なる。これに対応して、ボディ１の前面には実施例１のような表示部Ｄ１が付されていない点が異なる。
【００２３】
実施例２の防水コンセントＡ２は、ボディ１の前面側であって斜め下方に向けて延出し、コンセント本体７の一面よりもさらに斜め下方にまで先端が延びる庇２に、栓刃挿入部６の位置を示す表示部Ｄ２が付されている。詳細には、前記庇２はボディ１の前面に沿った形状の前面壁２１と、ボディの両側方に沿った形状の側面壁２２と、からなり、前面壁２１のボディ側端や側面壁２２のボディ側端からボディに組み付けるための係止部が突出形成されており、ボディ１に設けられた被係止部に係止することでボディと一体的に組み付けられるものである。また、前記庇２はその全体が透明材料により成形されており、透視可能であるとともに、前記表示部Ｄ２は前面壁の表面に刻印されている。
【００２４】
本実施例の表示部Ｄ２は、実施例１の表示部Ｄ１と表示手段が異なり、前記コンセント本体が有する２つの栓刃用挿入口および１つの接地用栓刃挿入口と略同一寸法の形状の表示ではなく、各栓刃挿入口（６１，６２）の位置関係と同一位置関係となる箇所に栓刃および接地用栓刃の形状を表示している。
【００２５】
本実施例によれば、図５に示すように、透視可能な庇２の裏側（庇とボディの間）にプラグＰを配置した状態で、庇２に付された各栓刃を表示した位置にプラグＰの各栓刃Ｐ１の位置を目視（符号Ｍ）で確認しながら合致させた後に、プラグＰを上方へと移動させることで、スムーズに防水コンセントＡ２に接続することができる。この場合であっても、コンセント本体７に対する前後方向（壁面に対する近接離間方向であって図５におけるＹ方向）がずれていても、各栓刃の向きや左右方向（図４に示す矢印Ｘ方向）のずれは生じておらず、前後方向に微調整をする程度で栓刃を栓刃挿入口に挿入することができ、いちいち覗き込み（符号Ｎ）ながら接続する必要がなくなる。
【００２６】
また、庇２の全体を透明材料で成形したこと、および、庇２とボディ１の接合箇所を前記コンセント本体７の一面とほぼ同一面となる位置に設定したことにより、栓刃挿入部６の直近まで各栓刃Ｐ１の位置を表示部Ｄ２と合致させた状態を視認できるようになっている。
【００２７】
さらには、別体の庇２に表示部を付したことで、ボディ１に支持されたコンセント本体７を入れ替えたとしても、庇２を交換するだけで済む。換言すると、例えば接地用栓刃挿入口が無いコンセント本体を壁面に取り付ける場合や、栓刃挿入部の位置が異なるコンセント本体を壁面に取り付ける場合であっても、対応する庇２を組み付けることで、共通のボディ１を利用することが可能となる。
【００２８】
なお、実施例２において前記庇２はその全体を透明とし、表示部Ｄ２として位置およびプラグの栓刃向きを示す表示を刻印してたが、表示部の形態（表示手段）としては、これに限らない。例えば、図６に示す防水コンセントＡ３のように、庇２に表示した表示部Ｄ３は、栓刃挿入部６（各栓刃挿入口６１）の位置のみを示すものとして、当該位置に対応する範囲のみを透明とし当該透明の箇所を栓刃挿入部６の位置を示した表示部としても良い。もちろん、当該位置に対応する範囲のみを不透明とし、その他の箇所を透明にして、不透明の箇所にプラグの栓刃を合致させることを示している表示形態としても良い。
【００２９】
実施例１および実施例２の表示形態とは異なる表示形態を採用した防水コンセントをその他の実施例として図７〜図１２を参照して説明する。
【００３０】
図７に示す防水コンセントＡ４は、接地用栓刃挿入口を有さないコンセント本体７がボディ１に支持されているものである。該防水コンセントＡ４のコンセント本体７に設けられた２つの栓刃挿入口の並び方向は、複数組の栓刃挿入部の並び方向に沿っている。そして本例では、２つの栓刃挿入口の並び方向が、複数組の栓刃挿入部の並び方向と同一の場合の表示部の表示形態を示している。この表示形態においては、庇部２に設けられた表示部Ｄ４１で、栓刃挿入口に対するプラグの各栓刃の許容する幅を示しており、その範囲内に栓刃を位置させることでスムーズなプラグの接続を可能とした。本実施例の防水コンセントＡ４の表示部Ｄ４１は、複数の栓刃を、ともにその範囲内に配置することで、コンセント本体の栓刃挿入部に合致する位置であることを示している。また、ボディ１の前面には防水コンセントＡ４が有するコンセント本体７のプラグの種類やプラグの栓刃向きを示す表示部Ｄ４２が設けられている。
【００３１】
このように、図７における矢印Ｘ方向の位置と、接続可能なプラグの種類やプラグの栓刃向きを指示する表示を別の箇所に分けて表示し、位置を示す表示部Ｄ４１と種類や向きを示す表示部Ｄ４２との、２つの情報をあわせることで表示部Ｄ４として機能させることもできる。特に、ボディに設けられた表示部Ｄ４２は、位置を示す必要がないため、ボディの左右方向（図７に示す矢印Ｘ方向）に均等に配置することができ、見栄えが良い。
【００３２】
図８は、コンセント本体７の一面よりも下方（ボディの開口よりも下方）にまで延びたボディの前面部分に表示部Ｄ５を付した防水コンセントＡ５の例である。この例によれば、図９に示すように、プラグＰを庇２の手前で表示部Ｄ５と位置を合致させることができる。そのため、庇２を全体に不透明とすることもでき、デザインの自由度が増す。また、本実施例の防水コンセントＡ５は庇２の全体が不透明で構成されているが、プラグPを庇２の裏側に挿入する前に表示部Ｄ５を利用して左右方向（図８における矢印Ｘ方向）の位置を合致していることを確認（符号Ｍ）してからそのまま斜め上方に向けて移動させれば良く、斜め下方から直接コンセント本体７を目視（符号Ｎ）しながらの作業に比べてあまり屈まずに挿入作業が行える。特に表示部の直上にプラグを配置するのみで左右方向の位置が合致できるため簡単に位置を特定できる。
【００３３】
図１０は、ボディの前面側に栓刃挿入部の種類（接地用栓刃挿入口を有する栓刃挿入部が２組ある旨）と、両栓刃挿入部の栓刃挿入口の向き（各栓刃挿入部が前後方向に並んで、接地用栓刃挿入口が右側にある旨）を表示する表示部Ｄ６２と、各栓刃挿入口の位置を庇に付した表示部Ｄ６１とからる表示形態の表示部Ｄ６が設けられた防水コンセントＡ６の例である。このように、表示部はボディと庇とに分けて表示しても良い。特にボディの前面側は広い面積があり、注意事項等とともに栓刃挿入口の向きを大きく表示することができるとともに、栓刃の位置は庇に付すことで、より栓刃挿入口に近いところまで栓刃を案内することができる。
【００３４】
前記各実施形態は栓刃挿入口の位置を直接表示していたが、表示部を図１１のように、プラグの中心位置に合致する位置Ｓを示す表示形態としても良い。この表示形態の表示部Ｄ７が設けられた防水コンセントＡ７によれば、手に持ったプラグの中心位置を表示部Ｄ７の中心位置を表示するＤ７１と合致させれば、上方に移動したプラグをコンセント本体に接続することができる。栓刃挿入部の種類や向きは表示部Ｄ７１の上に記された栓刃挿入部を模したイラストからなる表示部Ｄ７２によって示されている。
【００３５】
図１２に示す防水コンセントＡ８は、コンセント本体７に設けられた２つの栓刃挿入部（６ａ、６ｂ）のうち一方（図面右側）の栓刃挿入部６ａは２つの栓刃用挿入口６１および接地用栓刃挿入口６２を備え、他方（図面左側）の栓刃挿入部６ｂは２つの栓刃用挿入口６１のみからなり接地用栓刃挿入口は備えていないものである。また、各栓刃挿入部（６ａ、６ｂ）は、栓刃を挿入した後にプラグを回動させることでコンセント本体に抜け止め状態に引っ掛かる機構を備えている。そして、本願の特徴である表示部Ｄ８は、各栓刃挿入部の複数の栓刃挿入口の向き（プラグの複数の栓刃の向き）や接地用栓刃挿入口の方向を示す表示部Ｄ８２と、プラグを差し込んだ後に回動させる回動軸Ｔの鉛直線上に同回動軸の位置を示す表示部Ｄ８１と、により構成されている。この防水コンセントＡ８によれば、栓刃挿入口の向きを表示部Ｄ８２で確認するとともに、プラグの回動中心位置を表示部Ｄ８１に合致させて、斜め上方にプラグを移動させることで、スムーズな接続を可能とした。
【００３６】
なお、各実施例において、前記庇２はその全体を透明としたが、不透明であっても良い。また、表示部（Ｄ１〜Ｄ８）の表示形態において、ボディ１の左右方向における栓刃挿入口の位置を示すものであれば、実施例に限るものではない。また、コンセント本体に設けられた２組の栓刃挿入口は３組であってもそれ以上であっても良い。また、表示部は、複数の栓刃挿入口の全ての挿入口の位置を表示しても、複数の栓刃挿入口のうちの１つの栓刃挿入口の位置を表示するものであっても良い。さらには、庇２に設けた不透明部は表示シール等を貼着することで表示部を形成しても良い。また、位置合わせが可能であれば、栓刃位置表示部あるいは接地用栓刃位置表示部のどちらかを省略しても良い。また、接地用栓刃位置表示部は単に栓刃に対する向きのみを表示するものであっても良い。
【００３７】
本願の表示部の表示形態は実施例に限られるものではない。例えば、栓刃挿入部の種類（例えば、接地用栓刃挿入口を有する栓刃挿入部が２組ある旨）や、両栓刃挿入部の栓刃挿入口の向き（例えば各栓刃挿入部が前後方向に並んで、接地用栓刃挿入口が右側にある旨）を表示する表示部と、各栓刃挿入口の位置を表示する表示部と、を一つのイラストにより表示する表示形態であっても、分割する表示形態のものであっても良く、表示する箇所は、ボディと庇のどちらであっても、または両方にまたがっていても良い。
【００３８】
各実施例における防水コンセントは、パッキン４を介して建物壁等の垂直な壁面に直接固定されているが、配線ボックス等の開口に取り付けても良い。さらには、アースねじ１２は必須の構成ではない。前記ボディ１が有する前記庇２は、別体に限らず、ボディに一体成形されたものであっても良く、また、着脱可能であっても、着脱不可であっても良い。
【符号の説明】
【００３９】
Ａ１...防水コンセント、Ｄ１...表示部、１...ボディ、２...庇、６...栓刃挿入部、７...コンセント本体。
【図１】
2015079611.tif 000003
【図２】
2015079611.tif 000004
【図３】
2015079611.tif 000005
【図４】
2015079611.tif 000006
【図５】
2015079611.tif 000007
【図６】
2015079611.tif 000008
【図７】
2015079611.tif 000009
【図８】
2015079611.tif 000010
【図９】
2015079611.tif 000011
【図１０】
2015079611.tif 000012
【図１１】
2015079611.tif 000013
【図１２】
2015079611.tif 000014
【図１３】
2015079611.tif 000015